(57)【特許請求の範囲】
【請求項１】
複数の吐水口を有し、前記吐水口から水を噴射して使用者の身体を洗浄するノズルと、
給水源から供給される水を導く導水部と、
前記導水部を介して前記給水源から供給される水を前記複数の吐水口のそれぞれに導く複数の第１の流路と、
前記導水部を介して前記給水源から供給される水を前記ノズルの表面に導く第２の流路と、
前記導水部の途中に設けられ殺菌水を生成可能な殺菌水生成部と、
前記殺菌水生成部から供給される前記殺菌水が、前記第１の流路に通水される状態と、前記第２の流路に通水される状態と、を切り替え可能な流路切替部と、
前記殺菌水生成部を流れる水の流量を調整する流量調整部と、
前記流量調整部及び前記殺菌水生成部を制御し前記殺菌水生成部を流れる水の流量が前記第１の流路または前記第２の流路を流れうる水の最大流量よりも少ない状態で前記殺菌水生成部で前記殺菌水を生成させるときは、前記流路切替部を制御して前記複数の第１および第２の流路のいずれかのみに前記殺菌水を通水させる制御を実行する制御部と、
を備えたことを特徴とする衛生洗浄装置。
【請求項２】
前記制御部は、前記流路切替部を制御して、前記殺菌水が前記複数の第１および第２の流路のそれぞれに順次通水する制御を実行することを特徴とする請求項１記載の衛生洗浄装置。
【請求項３】
前記ノズルの少なくとも一部を収納可能であって前記ノズルに対して摺動可能に設けられ、前記複数の吐水口に対向可能な通水孔を有するノズルカバーをさらに備え、
前記制御部は、前記流路切替部を制御して前記殺菌水が前記複数の第１の流路のいずれかのみに通水される状態を切り替えた際には、選択された流路に応じて前記ノズルカバーを移動させ、前記選択された流路に接続された前記吐水口に前記通水孔を対向させる制御を実行することを特徴とする請求項１または２に記載の衛生洗浄装置。
【請求項４】
前記制御部は、前記殺菌水が前記第２の流路に通水される状態に切り替えた際には、前記ノズルカバーを前記ノズルに対して前後方向に摺動させる制御を実行することを特徴とする請求項３記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
便座に座った使用者の「おしり」などの身体を洗浄する洗浄ノズルは、その洗浄ノズルや温水タンクなどの所定の機能部品を取り付けるケーシングから少なくとも一部を外部に露出（進出）した状態で身体に洗浄水を噴射する。そのため、洗浄ノズルには汚水や汚物が付着するおそれがある。これに対して、身体洗浄を行う前や行った後において、洗浄ノズルに付着した汚水や汚物を洗い流し除去する衛生洗浄装置がある。これにより、洗浄ノズルは清潔に保たれている。
【０００３】
これに対して、さらに清潔性を高めるために、ノズル洗浄生成部として電解槽が組み込まれた局部洗浄装置がある（特許文献１）。特許文献１に記載された局部洗浄装置では、洗浄水として水道水を使ったときには、この中に含まれる塩素が電気分解によって次亜塩素酸に化学変化し、酸性の薬液としてクリーニングすることができる。このため、特にアンモニア等による汚れに対してさらに効果的なクリーニングが可能となる。ここで、水道水中の塩素イオンの濃度は、地域により異なっている。そのため、水道水中の塩素イオンの濃度がより低い場合であっても、洗浄ノズルを殺菌するために必要な次亜塩素酸の濃度を確保することが求められている。
【０００４】
これに対して、次亜塩素酸を含む水を生成する電気分解装置および電気分解方法が提案されている（特許文献２）。特許文献２には、電流密度と塩素発生効率との関係が記載されており、電流密度が高いほど塩素発生効率が高くなったり、所定範囲内の電流密度において塩素発生効率が極大となるなどの記載がある。しかしながら、電流を上げて塩素発生効率を高めることにより、次亜塩素酸の濃度を確保しようとすると、電気分解槽の電極への負担が大きくなるという点において改善の余地がある。また、電極の寿命を考慮すると、電極への負担が大きくなることは、比較的小さい面積の電極を有する衛生洗浄装置にとってはあまり好ましくない。
【０００５】
また、連続式電気分解槽で生成された殺菌水を殺菌水制御回路により適宜タイミングで殺菌水配管を経由して便器に供給し、便器内の細菌を殺菌する殺菌水供給機能付便器ユニットがある（特許文献３）。特許文献３には、連続式電気分解槽の電極間通路を流れる水の流量を調節することにより、殺菌水中の遊離塩素濃度を制御できることが記載されている。そのため、例えば、水道水中の塩素イオンの濃度がより低い場合であっても、供給する水の流量を低減することにより、洗浄ノズルを殺菌するために必要な次亜塩素酸の濃度を確保することができる。一方、水道水中の塩素イオンの濃度がより高い場合であっても、より高濃度の殺菌水を利用したい場合には、供給する水の流量を低減することにより対応することができる。
【０００６】
しかしながら、供給する水の流量を低減させると、洗浄ノズルの洗浄を行うときの水の流量も低減してしまう。洗浄ノズルには、一般的に、複数の吐水口と、その複数の吐水口のそれぞれに対応する流路と、が設けられている。そのため、供給する水の流量を低減させた状態において、生成した殺菌水を全ての流路に通水すると、殺菌水の濃度を高めることはできるが、一方で、洗浄ノズルに付着した汚水や汚物を洗い流す力、すなわち汚水や汚物を洗浄ノズルから剥離させる力が不足するおそれがある。
【先行技術文献】
【特許文献】
【０００７】
【特許文献１】特許第３４８７４４７号公報
【特許文献２】国際公開第９５／３２９２２号パンフレット
【特許文献３】特開平９−１４４１０３号公報
【発明の概要】
【発明が解決しようとする課題】
【０００８】
本発明は、かかる課題の認識に基づいてなされたものであり、殺菌水の濃度を確保しつつノズルを殺菌する際の流量や水勢を効率的に確保することができる衛生洗浄装置を提供することを目的とする。
【課題を解決するための手段】
【０００９】
第１の発明は、複数の吐水口を有し、前記吐水口から水を噴射して使用者の身体を洗浄するノズルと、給水源から供給される水を導く導水部と、前記導水部を介して前記給水源から供給される水を前記複数の吐水口のそれぞれに導く複数の第１の流路と、前記導水部を介して前記給水源から供給される水を前記ノズルの表面に導く第２の流路と、前記導水部の途中に設けられ殺菌水を生成可能な殺菌水生成部と、前記殺菌水生成部から供給される前記殺菌水が、前記第１の流路に通水される状態と、前記第２の流路に通水される状態と、を切り替え可能な流路切替部と、前記殺菌水生成部を流れる水の流量を調整する流量調整部と、前記流量調整部及び前記殺菌水生成部を制御し前記殺菌水生成部を流れる水の流量が前記第１の流路または前記第２の流路を流れうる水の最大流量よりも少ない状態で前記殺菌水生成部で前記殺菌水を生成させるときは、前記流路切替部を制御して前記複数の第１および第２の流路のいずれかのみに前記殺菌水を通水させる制御を実行する制御部と、を備えたことを特徴とする衛生洗浄装置である。
【００１０】
この衛生洗浄装置によれば、制御部は、流量調整部及び殺菌水生成部を制御して殺菌水生成部を流れる水の流量が最大流量よりも少ない状態で殺菌水生成部で殺菌水を生成させる。そのため、殺菌水の濃度をより高めることができる。また、制御部は、流路切替部を制御して複数の第１および第２の流路のいずれかのみに殺菌水を通水させる。そのため、ノズルを殺菌する際の流量や水勢を効率的に確保することができる。これにより、殺菌水の濃度を確保しつつノズルを殺菌する際の流量や水勢を効率的に確保することができる。
【００１１】
また、第２の発明は、第１の発明において、前記制御部は、前記流路切替部を制御して、前記殺菌水が前記複数の第１および第２の流路のそれぞれに順次通水する制御を実行することを特徴とする衛生洗浄装置である。
【００１２】
この衛生洗浄装置によれば、制御部が通水流路を順番に切り替えることにより、ノズルを殺菌する際の流量や水勢を効率的に確保し、ノズルをより効率的に殺菌することができる。
【００１３】
また、第３の発明は、第１または第２の発明において、前記ノズルの少なくとも一部を収納可能であって前記ノズルに対して摺動可能に設けられ、前記複数の吐水口に対向可能な通水孔を有するノズルカバーをさらに備え、前記制御部は、前記流路切替部を制御して前記殺菌水が前記複数の第１の流路のいずれかのみに通水される状態を切り替えた際には、選択された流路に応じて前記ノズルカバーを移動させ、前記選択された流路に接続された前記吐水口に前記通水孔を対向させる制御を実行することを特徴とする衛生洗浄装置である。
【００１４】
この衛生洗浄装置によれば、ノズルとノズルカバーとの間を効率的に殺菌することができる。また、ノズルを殺菌する際の流量や水勢を効率的に確保することができるため、ノズルとノズルカバーとの間に付着した汚水や汚物を効率的に剥離させることができる。
【００１５】
また、第４の発明は、第３の発明において、前記制御部は、前記殺菌水が前記第２の流路に通水される状態に切り替えた際には、前記ノズルカバーを前記ノズルに対して前後方向に摺動させる制御を実行することを特徴とする衛生洗浄装置である。
【００１６】
この衛生洗浄装置によれば、ノズルの表面を殺菌できるとともに、複数の吐水口の周囲を殺菌することができる。そのため、ノズルとノズルカバーとの間や、複数の吐水口の周囲を効率的に殺菌することができる。また、ノズルを殺菌する際の流量や水勢を効率的に確保することができるため、ノズルとノズルカバーとの間や、複数の吐水口の周囲に付着した汚水や汚物を効率的に剥離させることができる。
【発明の効果】
【００１７】
本発明の態様によれば、殺菌水の濃度を確保しつつノズルを殺菌する際の流量や水勢を効率的に確保することができる衛生洗浄装置が提供される。
【図面の簡単な説明】
【００１８】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態の変形例にかかる衛生洗浄装置の水路系の要部構成を表すブロック図である。
【図４】本実施形態にかかる衛生洗浄装置の水路系の要部構成の具体例を例示するブロック図である。
【図５】本実施形態のノズルユニットの具体例を例示する斜視模式図である。
【図６】本実施形態のノズルユニットの他の具体例を例示する斜視模式図である。
【図７】本具体例のノズルユニットを上方から眺めた平面模式図である。
【図８】図７に表した切断面における断面模式図である。
【図９】本具体例のノズルを上方から眺めた平面模式図である。
【図１０】本具体例のノズルカバーを表す斜視模式図である。
【図１１】本実施形態の電解槽ユニットの具体例を例示する断面模式図である。
【図１２】本実施形態の圧力変調装置の内部構造を概略的に表す断面模式図である。
【図１３】本実施形態にかかる衛生洗浄装置の動作の具体例を例示するタイミングチャートである。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。
【００２０】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００２１】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００２２】
ノズル４７３の先端部には、ビデ洗浄吐水口４７４ａ及びおしり洗浄吐水口４７４ｂが設けられている。ノズル４７３は、その先端に設けられたビデ洗浄吐水口４７４ａから水を噴射して、便座２００に座った女性の女性局部を洗浄することができる。あるいは、ノズル４７３は、その先端に設けられたおしり洗浄吐水口４７４ｂから水を噴射して、便座２００に座った使用者の「おしり」を洗浄することができる。なお、本願明細書において「水」という場合には、冷水のみならず、加熱されたお湯も含むものとする。
【００２３】
本実施形態では、「おしり」を洗浄するモードのなかには、「おしり洗浄」と、「おしり洗浄」よりもソフトな水流で優しく洗浄する「やわらか洗浄」と、が含まれる。「やわらか洗浄」については、例えば図１２に関して後述する圧力変調装置４６０などにより実現可能である。そのため、本実施形態のノズル４７３は、「ビデ洗浄」と、「おしり洗浄」と、「やわらか洗浄」と、を実行することができる。
【００２４】
なお、図１に表したノズル４７３では、ビデ洗浄吐水口４７４ａがおしり洗浄吐水口４７４ｂよりもノズル４７３の先端側に設けられているが、ビデ洗浄吐水口４７４ａおよびおしり洗浄吐水口４７４ｂの設置位置は、これだけに限定されるわけではない。ビデ洗浄吐水口４７４ａは、おしり洗浄吐水口４７４ｂよりもノズル４７３の後端側に設けられていてもよい。また、図１に表したノズル４７３では、２つの吐水口が設けられているが、３つ以上の吐水口が設けられていてもよい。ノズル４７３については、後に詳述する。
【００２５】
図２は、本実施形態にかかる衛生洗浄装置の要部構成を表すブロック図である。  
また、図３は、本実施形態の変形例にかかる衛生洗浄装置の水路系の要部構成を表すブロック図である。  
なお、図２は、水路系と電気系の要部構成を併せて表している。
【００２６】
本実施形態にかかる衛生洗浄装置１００は、図２に表したように、水道や貯水タンクなどの給水源１０から供給された水を導く導水部２０を有する。導水部２０の上流側には、電磁弁４３１が設けられている。電磁弁４３１は、開閉可能な電磁バルブであり、ケーシング４００の内部に設けられた制御部４０５からの指令に基づいて水の供給を制御する。
【００２７】
電磁弁４３１の下流には、温水ヒータ４４１が設けられている。温水ヒータ４４１は、供給された水を加熱し、所定の温水にする。なお、温水温度については、例えば、使用者が操作部５００を操作することにより設定することができる。  
温水ヒータ４４１の下流には、電解槽ユニット（殺菌水生成部）４５０に流入する水の塩素イオンの濃度を検出可能なイオン濃度検出部４８０が設けられている。イオン濃度検出部４８０は、電解槽ユニット４５０にかかる電圧により水道水の水質（例えば、電解槽ユニット４５０に流入する水の電気伝導度など）を検知し、水道水中の塩素イオンの濃度を検出することができる。イオン濃度検出部４８０は、検出した塩素イオンの濃度を検出信号として制御部４０５に送信することができる。  
イオン濃度検出部４８０の下流には、殺菌水を生成可能な電解槽ユニット４５０が設けられている。電解槽ユニット４５０は、内部を流れる水道水を電気分解することにより次亜塩素酸を含む液（殺菌水）を生成することができる。この電解槽ユニット４５０については、後に詳述する。
【００２８】
電解槽ユニット４５０の下流には、圧力変調装置４６０が設けられている。この圧力変調装置４６０は、導水部２０内の水の流れに脈動または加速を与え、ノズル４７３のビデ洗浄吐水口４７４ａ及びおしり洗浄吐水口４７４ｂやノズル洗浄室４７８の吐水部４７９（図５参照）から吐水される水に脈動を与えることができる。つまり、圧力変調装置４６０は、導水部２０内を流れる水の流動状態を変動させることができる。  
圧力変調装置４６０の下流には、水勢（流量）の調整を行う流量切替弁（流量調整部）４７１と、ノズル４７３やノズル洗浄室４７８への給水の開閉や切替を行う流路切替弁（流路切替部）４７２と、が設けられている。なお、流量切替弁４７１および流路切替弁４７２は、図３に表した変形例のように、１つのユニットとして設けられていてもよい。
【００２９】
さらに、圧力変調装置４６０の下流側の導水部２０には、気泡混入部４９０が接続されている。気泡混入部４９０は、導水部２０の内部を流れる水または殺菌水の水流のエジェクタ作用により、その水または殺菌水に空気を混入し気泡を生成することができる。空気の混入量は、例えば制御部４０５が気泡混入部４９０の動作を制御することにより行われる。なお、気泡混入部４９０が水または殺菌水に空気を混入する方法は、水流のエジェクタ作用を利用する方法だけに限定されるわけではなく、ポンプにより導水部２０に空気を導入する方法でもよい。
【００３０】
続いて、流量切替弁４７１および流路切替弁４７２の下流には、ノズル４７３およびノズル洗浄室４７８が設けられている。ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。一方、ノズル洗浄室４７８は、その内部に設けられた吐水部４７９から殺菌水あるいは水を噴射することにより、ノズル４７３の外周表面（胴体）を殺菌あるいは洗浄することができる。
【００３１】
ここで、図２および図３に表したように、流路切替弁４７２の下流には、おしり洗浄流路（第１の流路）２１と、やわらか洗浄流路（第１の流路）２２と、ビデ洗浄流路（第１の流路）２３と、が設けられている。おしり洗浄流路２１及びやわらか洗浄流路２２は、導水部２０を介して給水源１０から供給される水や電解槽ユニット４５０において生成された殺菌水をおしり洗浄吐水口４７４ｂへ導くことができる。また、ビデ洗浄流路２３は、導水部２０を介して給水源１０から供給される水や電解槽ユニット４５０において生成された殺菌水をビデ洗浄吐水口４７４ａへ導くことができる。つまり、導水部２０を介して給水源１０から供給される水や電解槽ユニット４５０において生成された殺菌水をノズル４７３の吐水口４７４ａ、４７４ｂへ導く第１の流路は、おしり洗浄流路２１と、やわらか洗浄流路２２と、ビデ洗浄流路２３と、を有する。
【００３２】
また、流路切替弁４７２の下流には、導水部２０を介して給水源１０から供給される水や電解槽ユニット４５０において生成された殺菌水をノズル洗浄室４７８の吐水部４７９へ導く表面洗浄流路（第２の流路）２４が設けられている。制御部４０５は、流路切替弁４７２を制御することにより、おしり洗浄流路２１や、やわらか洗浄流路２２や、ビデ洗浄流路２３を通してノズル４７３の吐水口４７４ａ、４７４ｂに水や殺菌水を導いたり、表面洗浄流路２４を通してノズル洗浄室４７８の吐水部４７９に水や殺菌水を導くことができる。
【００３３】
ノズル４７３を効率的に殺菌するためには、電解槽ユニット４５０において生成される次亜塩素酸の濃度がより高いことがより好ましい。また、電解槽ユニット４５０において生成される次亜塩素酸の濃度をより高めることにより、使用者のノズル４７３に対する清潔感を向上させることができる。このとき、電解槽ユニット４５０に供給される水の流量をより少なくすると、電解槽ユニット４５０において生成される次亜塩素酸の濃度をより高めることができる。
【００３４】
しかしながら、ノズル４７３を効率的に殺菌するために電解槽ユニット４５０において生成される次亜塩素酸の濃度をより高めようとすると、ノズル４７３に付着した汚水や汚物を洗い流す力、すなわち汚水や汚物をノズル４７３から剥離させる力が不足するおそれがある。つまり、電解槽ユニット４５０に供給する水の流量を少なくすると、次亜塩素酸の濃度を高めることはできるが、一方で、汚水や汚物をノズル４７３から剥離させる力が不足するおそれがある。
【００３５】
これは、ノズル４７３が複数の吐水口や吐水部を有する場合において、より顕著となるときがある。より具体的には、本実施形態のノズル４７３は、おしり洗浄流路２１及びやわらか洗浄流路２２に接続されたおしり洗浄吐水口４７４ｂと、ビデ洗浄流路２３に接続されたビデ洗浄吐水口４７４ａと、表面洗浄流路２４に接続された吐水部４７９と、を有する。そこで、制御部４０５が、流路切替弁４７２を制御することにより、おしり洗浄流路２１と、やわらか洗浄流路２２と、ビデ洗浄流路２３と、表面洗浄流路２４と、の全てに電解槽ユニット４５０において生成された殺菌水を導くと、汚水や汚物をノズル４７３から剥離させる力（水勢）がより不足するおそれがある。つまり、ノズル４７３が複数の吐水口や吐水部を有する場合において、制御部が殺菌水を全ての流路に通水すると、汚水や汚物をノズルから剥離させる力が不足するおそれがある。
【００３６】
これに対して、本実施形態にかかる衛生洗浄装置１００では、制御部４０５は、流量切替弁４７１および電解槽ユニット４５０を制御することにより電解槽ユニット４５０に供給する水の流量を最大流量よりも少なくして殺菌水を生成した場合には、流路切替弁４７２を制御することにより、おしり洗浄流路２１と、やわらか洗浄流路２２と、ビデ洗浄流路２３と、表面洗浄流路２４と、のいずれか１つにのみ殺菌水を通水することができる。ここで、本願明細書において「最大流量」とは、衛生洗浄装置１００の動作中に導水部２０、おしり洗浄流路２１、やわらか洗浄流路２２、ビデ洗浄流路２３、あるいは表面洗浄流路２４を流れうる水の流量の最大値をいうものとする。これによれば、制御部４０５は、電解槽ユニット４５０に供給する水の流量を少なくすることにより次亜塩素酸の濃度を確保しつつ、汚水や汚物をノズルから剥離させる力（水勢）を確保することができる。そのため、ノズル４７３をより効率的に殺菌することができる。また、これにより、使用者のノズル４７３に対する清潔感を向上させることができる。
【００３７】
図２および図３に関する説明では、電解槽ユニット４５０が殺菌水として次亜塩素酸を含む液を生成する場合を例に挙げたが、電解槽ユニット４５０において生成される殺菌水は、これだけに限定されるわけではない。電解槽ユニット４５０において生成される殺菌水は、例えば、銀イオンや銅イオンなどの金属イオンを含む溶液であってもよい。あるいは、電解槽ユニット４５０において生成される殺菌水は、電解塩素やオゾンなどを含む溶液であってもよい。あるいは、電解槽ユニット４５０において生成される殺菌水は、酸性水やアルカリ水であってもよい。これらの場合であっても、本発明の特徴を含む限り、本発明の範囲に包含される。以下では、説明の便宜上、殺菌水が次亜塩素酸を含む液である場合を例に挙げて説明する。
【００３８】
なお、制御部４０５は、電源回路４０１から電力を供給され、人体検知センサ４０３や、着座検知センサ４０４や、操作部５００などからの信号に基づいて、電磁弁４３１や、温水ヒータ４４１や、電解槽ユニット４５０や、圧力変調装置４６０や、流量切替弁４７１や流路切替弁４７２や、ノズルモータ４７６や、気泡混入部４９０の動作を制御することができる。
【００３９】
人体検知センサ４０３は、図１に表したように、ケーシング４００の上面に形成された凹設部４０９に埋め込まれるように設けられ、便座２００に近づいた使用者（人体）を検知することができる。また、便蓋３００の後部には透過窓３１０が設けられている。そのため、便蓋３００が閉じた状態において、人体検知センサ４０３は、透過窓３１０を介して使用者の存在を検知することができる。そして、例えば、人体検知センサ４０３が使用者を検知すると、制御部４０５は、人体検知センサ４０３の検知結果に基づいて便蓋３００を自動的に開くことができる。
【００４０】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４１】
次に、本実施形態にかかる衛生洗浄装置の水路系の要部構成および構成要素の具体例について、図面を参照しつつ説明する。  
図４は、本実施形態にかかる衛生洗浄装置の水路系の要部構成の具体例を例示するブロック図である。
【００４２】
図４に表したように、給水源１０から供給された水は、まず、分岐金具４１０に導かれる。分岐金具４１０に導かれた水は、連結ホース４２０および図示しない便器洗浄用のバルブユニットに分配される。但し、本実施形態にかかる衛生洗浄装置１００を備えたトイレ装置は、いわゆる「水道直圧式」に限定されるわけではなく、いわゆる「ロータンク式」であってもよい。そのため、トイレ装置が「ロータンク式」である場合には、分岐金具４１０に導かれた水は、便器洗浄用のバルブユニットの代わりに、図示しないロータンクに導かれる。
【００４３】
続いて、連結ホース４２０に供給された水は、バルブユニット４３０に導かれる。バルブユニット４３０は、電磁弁４３１と、調圧弁４３２と、入水サーミスタ４３３と、安全弁４３４と、水抜栓４３５と、を有する。調圧弁４３２は、給水圧が高い場合に、所定の圧力範囲に調整する役割を有する。入水サーミスタ４３３は、熱交換器ユニット４４０に導かれる水の温度を検知する。安全弁４３４は、導水部２０の圧力が上昇した時に開いて、水を便器８００のボウル８０１に排出する。安全弁４３４を設けることにより、例えば調圧弁４３２の故障などによりその２次側（下流側）の導水部２０の圧力が上昇した場合でも、衛生洗浄装置１００の内部に漏水が生ずることを防止できる。また、水抜栓４３５は、導水部２０内の水が凍結するおそれがあるときなどに使用され、導水部２０内の水を排出できる。なお、電磁弁４３１は、前述した如くである。
【００４４】
続いて、バルブユニット４３０に供給された水は、熱交換器ユニット４４０に導かれる。熱交換器ユニット４４０は、温水ヒータ４４１と、バキュームブレーカ４４２と、を有する。バキュームブレーカ４４２は、例えばバルブユニット４３０に負圧が発生した場合などにおいて、ノズル４７３から汚水が逆流することを防止する。あるいは、バキュームブレーカ４４２は、導水部２０の水抜きの際に外部から空気を取り込んで、熱交換器ユニット４４０とノズルユニット４７０との間の導水部２０の水抜きを促進させる。そして、バキュームブレーカ４４２からの水は、便器８００のボウル８０１に排出される。
【００４５】
続いて、熱交換器ユニット４４０に供給され、所定温度に加熱された水は、イオン濃度検出部４８０を介して電解槽ユニット４５０に導かれる。電解槽ユニット４５０は、図２および図３に関して前述したように、殺菌水を生成することができる。電解槽ユニット４５０から供給された殺菌水や水は、圧力変調装置４６０を介してノズルユニット４７０に導かれる。
【００４６】
ノズルユニット４７０は、図４に表したように、流量切替弁４７１と、流路切替弁４７２と、ノズル４７３と、を有する。本具体例では、流量切替弁４７１および流路切替弁４７２は、１つのユニットとして設けられている。そして、流路切替弁４７２は、電解槽ユニット４５０から圧力変調装置４６０を介して供給された殺菌水や水をおしり洗浄流路２１及びやわらか洗浄流路２２を通してノズル４７３のおしり洗浄吐水口４７４ｂに導くことができる。あるいは、流路切替弁４７２は、電解槽ユニット４５０から圧力変調装置４６０を介して供給された殺菌水や水をビデ洗浄流路２３を通してノズル４７３のビデ洗浄吐水口４７４ａに導くことができる。あるいは、流路切替弁４７２は、電解槽ユニット４５０から圧力変調装置４６０を介して供給された殺菌水や水を表面洗浄流路２４を通してノズル洗浄室４７８の吐水部４７９に導くことができる。
【００４７】
図５は、本実施形態のノズルユニットの具体例を例示する斜視模式図である。  
本具体例のノズルユニット４７０は、図５に表したように、基台としての取付台４７５と、取付台４７５に支持されたノズル４７３と、ノズル４７３を移動させるノズルモータ４７６と、を有する。ノズル４７３は、図５に表した矢印Ａのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【００４８】
また、本具体例のノズルユニット４７０には、ノズル洗浄室４７８が設けられている。ノズル洗浄室４７８は、取付台４７５に対して固定され、その内部には表面洗浄流路２４に接続された吐水部４７９を有する。そのため、ノズル洗浄室４７８は、吐水部４７９から殺菌水あるいは水を噴射することにより、ノズル４７３の外周表面（胴体）を殺菌あるいは洗浄することができる。すなわち、制御部４０５が電解槽ユニット４５０に通電することにより殺菌水を生成する場合には、ノズル４７３の胴体は、吐水部４７９から噴射される殺菌水により殺菌される。一方で、制御部４０５が電解槽ユニット４５０に通電しない場合には、ノズル４７３の胴体は、吐水部４７９から噴射される水により物理的に洗浄される。
【００４９】
より具体的には、ノズル４７３がケーシング４００に収納された状態において、ノズル４７３のビデ洗浄吐水口４７４ａ及びおしり洗浄吐水口４７４ｂの部分はノズル洗浄室４７８の中にほぼ収容されている。そのため、ノズル洗浄室４７８は、その内部に設けられた吐水部４７９から殺菌水あるいは水を噴射することにより、収納された状態のノズル４７３のビデ洗浄吐水口４７４ａ及びおしり洗浄吐水口４７４ｂの部分を殺菌あるいは洗浄することができる。また、ノズル洗浄室４７８は、ノズル４７３の進退時において吐水部４７９から水あるいは殺菌水を噴射することにより、ビデ洗浄吐水口４７４ａ及びおしり洗浄吐水口４７４ｂの部分だけではなく他の部分の外周表面を殺菌あるいは洗浄することができる。
【００５０】
また、本具体例のノズル４７３は、ノズル４７３がケーシング４００に収納された状態において、ノズル４７３自身が有するビデ洗浄吐水口４７４ａ及びおしり洗浄吐水口４７４ｂから殺菌水あるいは水を吐水することによりビデ洗浄吐水口４７４ａ及びおしり洗浄吐水口４７４ｂの部分を殺菌あるいは洗浄することができる。さらに、ノズル４７３がケーシング４００に収納された状態では、ノズル４７３のビデ洗浄吐水口４７４ａ及びおしり洗浄吐水口４７４ｂの部分はノズル洗浄室４７８の中にほぼ収容されているため、ノズル４７３のビデ洗浄吐水口４７４ａ及びおしり洗浄吐水口４７４ｂから吐水された殺菌水あるいは水は、ノズル洗浄室４７８の内壁により反射してビデ洗浄吐水口４７４ａ及びおしり洗浄吐水口４７４ｂの部分にかかる。そのため、ノズル４７３のビデ洗浄吐水口４７４ａ及びおしり洗浄吐水口４７４ｂの部分は、ノズル洗浄室４７８の内壁で反射した殺菌水あるいは水によっても殺菌あるいは洗浄される。
【００５１】
図６は、本実施形態のノズルユニットの他の具体例を例示する斜視模式図である。  
また、図７は、本具体例のノズルユニットを上方から眺めた平面模式図である。  
また、図８は、図７に表した切断面における断面模式図である。  
また、図９は、本具体例のノズルを上方から眺めた平面模式図である。  
また、図１０は、本具体例のノズルカバーを表す斜視模式図である。
【００５２】
なお、図６（ａ）、図７（ａ）、および図８（ａ）は、ノズル４７３がケーシング４００に収納された状態を表す模式図であり、図６（ｂ）、図７（ｂ）、および図８（ｂ）は、ノズル４７３が「ビデ洗浄」の位置に進出した状態を表す模式図であり、図６（ｃ）、図７（ｃ）、および図８（ｃ）は、ノズル４７３が「おしり洗浄」の位置に進出した状態を表す模式図である。また、図８（ａ）は、図７（ａ）に表した切断面Ａ−Ａにおける断面模式図であり、図８（ｂ）は、図７（ｂ）に表した切断面Ｂ−Ｂにおける断面模式図であり、図８（ｃ）は、図７（ｃ）に表した切断面Ｃ−Ｃにおける断面模式図である。また、図１０は、図７（ａ）に表した切断面Ａ−Ａにおける断面模式図に相当する。さらに、説明の便宜上、図６および図７ではノズルモータ４７６を省略している。
【００５３】
本具体例のノズルユニット４７０ａは、ノズル４７３に対して摺動可能に設けられたノズルカバー５１０と、所定位置から後方へのノズル４７３の移動を止める壁５２０と、ノズル４７３と係合可能であって可撓性を有する弾性体５３０と、を有する。ノズルカバー５１０は、ノズル４７３の少なくとも一部を収納できる。また、ノズルカバー５１０の先端部には、ノズル４７３のビデ洗浄吐水口４７４ａ及びおしり洗浄吐水口４７４ｂと対向可能な通水孔５１１が設けられている。
【００５４】
図８（ａ）〜図８（ｃ）ならびに図１０（ａ）および図１０（ｂ）に表したように、ノズルカバー５１０の下部には、ラック５１３が設けられている。ラック５１３は、ノズルカバー５１０の下方に設置されたノズルモータ４７６と係合する凹凸を有する。ノズルモータ４７６は、駆動出力を適宜減速させてラック５１３に出力可能である。このとき、ノズルモータ４７６は、図示しない歯車を介してラック５１３に駆動出力を伝達してもよい。ラック５１３は、ノズルモータ４７６あるいは図示しない歯車の回転駆動力を直線方向の駆動力に変換する。これにより、ノズルカバー５１０は、ノズルモータ４７６から伝達される駆動力により、ノズルカバー５１０自身あるいはノズル４７３の軸方向（進退方向）に直進移動することができる。
【００５５】
図１０（ａ）および図１０（ｂ）に表したように、ノズルカバー５１０の後端部には、凸部５３１を有する弾性体５３０が付設されている。弾性体５３０は、凸部５３１をノズルカバー５１０の内側に向けてノズルカバー５１０の後端部に固定されている。一方、図９に表したように、ノズル４７３の後端部には、弾性体５３０の凸部５３１と係合可能な第１の凹部４７３ａおよび第２の凹部４７３ｂが設けられている。ノズル４７３の先端部には、ビデ洗浄吐水口４７４ａおよびおしり洗浄吐水口４７４ｂが設けられている。本具体例では、ビデ洗浄吐水口４７４ａは、おしり洗浄吐水口４７４ｂよりもノズル４７３の後端側に設けられている。また、ノズル４７３の上部には、上方へ延在して設けられ、ノズル洗浄室４７８と接触可能な突起部４７３ｃが設けられている。その他のノズルユニット４７０ａの構造は、図５に関して前述したノズルユニット４７０の構造と同様である。
【００５６】
図７（ａ）および図８（ａ）に表したように、ノズル４７３がケーシング４００に収納された状態では、ノズルカバー５１０の通水孔５１１は、ビデ洗浄吐水口４７４ａに対向している。このとき、ノズル４７３のビデ洗浄吐水口４７４ａ及びおしり洗浄吐水口４７４ｂの部分は、ノズル洗浄室４７８の中にほぼ収容されている。また、弾性体５３０は、ノズル４７３の第１の凹部４７３ａと係合している。
【００５７】
続いて、ノズル４７３が進出する場合には、制御部４０５は、ノズルモータ４７６を駆動しノズルカバー５１０を進出させる。図７（ｂ）に表したように、ノズルモータ４７６から伝達される駆動力によりノズルカバー５１０が進出すると、弾性体５３０がノズル４７３の第１の凹部４７３ａと係合しているため、ノズル４７３はノズルカバー５１０とともに進出する。そして、図７（ｂ）および図８（ｂ）に表したように、ノズルカバー５１０の通水孔５１１はビデ洗浄吐水口４７４ａに対向しているため、ノズル４７３は、ビデ洗浄吐水口４７４ａから水を噴射して、便座２００に座った女性の女性局部を洗浄することができる。
【００５８】
一方、使用者が例えば操作部５００により「おしり洗浄」や「やわらか洗浄」を指示した場合あるいは指示していた場合には、制御部４０５は、ノズルモータ４７６を駆動しノズルカバー５１０を「ビデ洗浄」の位置よりもさらに進出させる。そうすると、ノズルカバー５１０は、ノズル４７３とともに「ビデ洗浄」の位置よりもさらに進出しようとする。このとき、ノズル４７３の上部に設けられた突起部４７３ｃがノズル洗浄室４７８と接触する。そのため、ノズル４７３は、突起部４７３ｃがノズル洗浄室４７８と接触した位置よりも前方へ移動することはできない。これにより、ノズルカバー５１０は、ノズル４７３に対して摺動し「ビデ洗浄」の位置よりもさらに進出しようとする。
【００５９】
そうすると、図７（ｃ）に表したように、ノズル４７３の第１の凹部４７３ａと係合していた弾性体５３０は、撓むことにより第１の凹部４７３ａと第２の凹部４７３ｂとの間を乗り越え、第２の凹部４７３ｂと係合する。これにより、図７（ｃ）および図８（ｃ）に表したように、ノズルカバー５１０の通水孔５１１は、おしり洗浄吐水口４７４ｂに対向する。そのため、ノズル４７３は、おしり洗浄吐水口４７４ｂから水を噴射して、便座２００に座った使用者の「おしり」を洗浄することができる。
【００６０】
続いて、ノズル４７３が後退する場合には、制御部４０５は、ノズルモータ４７６を駆動しノズルカバー５１０を後退させる。ノズルモータ４７６から伝達される駆動力によりノズルカバー５１０が後退すると、弾性体５３０がノズル４７３の第２の凹部４７３ｂと係合しているため、ノズル４７３はノズルカバー５１０とともに後退する。そして、ノズル４７３がケーシング４００に収納されると、ノズル４７３の後端４７３ｄは、壁５２０と接触する。そのため、ノズル４７３は、ノズル４７３の後端が壁５２０と接触した位置よりも後方へ移動することはできない。これにより、制御部４０５がノズルモータ４７６を駆動しノズルカバー５１０をさらに後退させると、ノズルカバー５１０は、ノズル４７３に対して摺動し後方へ移動しようとする。
【００６１】
そうすると、ノズル４７３の第２の凹部４７３ｂと係合していた弾性体５３０は、撓むことにより第１の凹部４７３ａと第２の凹部４７３ｂとの間を乗り越え、第１の凹部４７３ａと係合する。これにより、図７（ａ）および図８（ａ）に表したように、ノズルカバー５１０の通水孔５１１は、ビデ洗浄吐水口４７４ａに再び対向する。
【００６２】
図１１は、本実施形態の電解槽ユニットの具体例を例示する断面模式図である。  
電解槽ユニット４５０は、図１１に表したように、その内部に陽極板４５１および陰極板４５２を有し、制御部４０５からの通電の制御によって、内部を流れる水道水を電気分解できる。ここで、水道水は、塩素イオンを含んでいる。この塩素イオンは、水源（例えば、地下水や、ダムの水や、河川などの水）に食塩（ＮａＣｌ）や塩化カルシウム（ＣａＣｌ２）として含まれている。そのため、その塩素イオンを電気分解することにより次亜塩素酸が生成される。その結果、電解槽ユニット４５０において電気分解された水は、次亜塩素酸を含む液に変化する。
【００６３】
次亜塩素酸は、殺菌成分として機能し、その次亜塩素酸を含む液すなわち殺菌水は、アンモニアなどによる汚れを効率的に除去あるいは分解したり、殺菌することができる。ここで、本願明細書において「殺菌水」とは、次亜塩素酸などの殺菌成分を水道水（単に「水」ともいう）よりも多く含む液をいうものとする。
【００６４】
図１２は、本実施形態の圧力変調装置の内部構造を概略的に表す断面模式図である。  
圧力変調装置４６０は、図２および図３に関して前述したように、導水部２０内の水の流れに脈動または加速を与えることができる。ここで、本願明細書において「脈動」とは、圧力変調装置４６０により生ずる圧力の変動のことである。そのため、圧力変調装置４６０は、導水部２０内の水の圧力を変動させる装置である。
【００６５】
圧力変調装置４６０は、図１２に表したように、導水部２０に接続されるシリンダ４６１と、シリンダ４６１の内部に進退自在に設けられたプランジャ４６２と、プランジャ４６２の内部に設けられた逆止弁４６３と、励磁電圧を制御することでプランジャ４６２を進退させる脈動発生コイル４６４と、を有する。
【００６６】
そして、プランジャ４６２の位置が、ノズル４７３の側（下流側）に変化した場合には、圧力変調装置４６０よりも下流側の水の圧力が増加し、ノズルとは反対の側（上流側）に変化した場合には、圧力変調装置４６０よりも下流側の水の圧力が減少するように逆止弁が配設されている。言い換えれば、プランジャ４６２の位置が、ノズル４７３の側（下流側）に変化した場合には、圧力変調装置４６０よりも上流側の水の圧力は減少し、ノズルとは反対の側（上流側）に変化した場合には、圧力変調装置４６０よりも上流側の水の圧力は増加する。
【００６７】
そして、脈動発生コイル４６４の励磁を制御することにより、プランジャ４６２を上流側・下流側に進退させる。すなわち、導水部２０内の水に脈動を付加する場合（導水部２０内の水の圧力を変動させる場合）には、脈動発生コイル４６４に流す励磁電圧を制御することにより、プランジャ４６２をシリンダ４６１の軸方向（上流方向・下流方向）に進退させる。
【００６８】
この場合、プランジャ４６２は、脈動発生コイル４６４の励磁により図示する原位置（プランジャ原位置）から下流側４６５に移動する。そして、コイルの励磁が消えると、復帰スプリング４６６の付勢力によって、原位置に復帰する。この際、緩衝スプリング４６７によってプランジャ４６２の復帰の動作が緩衝される。プランジャ４６２は、その内部にダックピル式の逆止弁４６３を有し、上流側への逆流を防止している。
【００６９】
したがって、プランジャ４６２は、プランジャ原位置から下流側へ移動する際には、シリンダ４６１内の水を加圧して下流側の導水部２０に押し流せるようになっている。言い換えれば、プランジャ４６２は、プランジャ原位置から下流側へ移動する際には、上流側の導水部２０内の水を減圧してシリンダ４６１内に吸引することができる。この際、プランジャ原位置と、下流側に移動した位置とは常に一定であることから、プランジャ４６２が動作する際に下流側の導水部２０に送られる洗浄水の量は一定となる。
【００７０】
その後、原位置に復帰する際には、逆止弁４６３を経てシリンダ４６１内に洗浄水が流れ込む。そのため、次回のプランジャ４６２の下流側移動の際には、改めて、一定量の洗浄水が下流側の導水部２０に送られることになる。
【００７１】
次に、本実施形態にかかる衛生洗浄装置の動作の具体例について、図面を参照しつつ説明する。  
図１３は、本実施形態にかかる衛生洗浄装置の動作の具体例を例示するタイミングチャートである。
【００７２】
本具体例では、衛生洗浄装置１００が備えるノズルユニットが、図６〜図１０に関して前述したノズルユニット４７０ａである場合を例に挙げて説明する。  
まず、着座検知センサ４０４が使用者を検知する前の待機状態では、ノズル４７３は、ケーシング４００に収納され「収納１」の状態にある（タイミングｔ１以前）。ノズル４７３が「収納１」の状態にあるときには、ノズルカバー５１０の通水孔５１１は、ビデ洗浄吐水口４７４ａに対向している。
【００７３】
続いて、着座検知センサ４０４が便座２００に着座した使用者を検知すると（タイミングｔ１）、制御部４０５は、流路切替弁４７２を「原点」から「ＳＣ（セルフクリーニング）」に切り替える（タイミングｔ１〜ｔ２）。これにより、おしり洗浄流路２１と、やわらか洗浄流路２２と、ビデ洗浄流路２３と、の全ての流路を経由して、おしり洗浄吐水口４７４ｂおよびビデ洗浄吐水口４７４ａからの吐水が可能となる。このときの流量（水量）は、例えば約４５０ｃｃ／分であり、最大流量に設定されている。なお、流路切替弁４７２が「原点」にある場合には、おしり洗浄流路２１と、やわらか洗浄流路２２と、ビデ洗浄流路２３と、の全ての流路は閉じている。そのため、この場合には、おしり洗浄吐水口４７４ｂおよびビデ洗浄吐水口４７４ａからの吐水は不能である。
【００７４】
続いて、流路切替弁４７２の切り替えが完了すると、制御部４０５は、電磁弁４３１を開き、温水ヒータ４４１を「捨水モード」に設定する（タイミングｔ２）。これにより、おしり洗浄流路２１、やわらか洗浄流路２２、およびビデ洗浄流路２３の内部の冷水が排水され、温水の準備が行われる。そして、制御部４０５は、温水ヒータ４４１を「捨水モード」から「保温制御モード」に設定変更する（タイミングｔ３）。続いて、電磁弁４３１を閉じる（タイミングｔ４）。これは、温水ヒータ４４１は「ＯＦＦ」に設定された後でも余熱を発生するためである。すなわち、制御部４０５が温水ヒータ４４１を設定変更した後に電磁弁４３１を閉じるのは、いわゆる「後沸き防止」のためである。
【００７５】
続いて、使用者が操作部５００に設けられた図示しない「おしり洗浄スイッチ」を押すと、制御部４０５は、流路切替弁４７２を「原点」から「ＳＣ」に切り替える（タイミングｔ５〜ｔ６）。さらに、制御部４０５は、電磁弁４３１を開き、温水ヒータ４４１を「前洗浄モード、本洗浄モード、後洗浄モード」に設定する（タイミングｔ５）。これにより、ノズル４７３の前洗浄が行われる。続いて、制御部４０５は、流路切替弁４７２を「ＳＣ」から「バイパス２」に切り替え（タイミングｔ７〜ｔ８）、ノズル洗浄室４７８に設けられた吐水部４７９から水を噴射可能とする。
【００７６】
続いて、制御部４０５は、ケーシング４００に収納されていたノズル４７３を「ビデ洗浄」の位置まで進出させ（タイミングｔ９〜ｔ１０）、さらに「おしり洗浄」の位置まで進出させる（タイミングｔ１０〜ｔ１１）。このとき、制御部４０５は、電磁弁４３１を開いているため、ノズル４７３の胴体は、吐水部４７９から噴射される水により洗浄される。
【００７７】
続いて、制御部４０５は、流路切替弁４７２を「バイパス２」から「おしり水勢５」に切り替え（タイミングｔ１１〜ｔ１２）、本洗浄（おしり洗浄）を開始する（タイミングｔ１２〜ｔ１３）。なお、例えば、使用者が「おしり洗浄」における水勢を「水勢５」から「水勢３」に操作部５００により設定変更した場合には、制御部４０５は、流量切替弁４７１を「おしり水勢５」から「おしり水勢３」に切り替える（タイミングｔ１３〜ｔ１４）。そして、制御部４０５は、「水勢３」において本洗浄を継続する（タイミングｔ１４〜ｔ１５）。
【００７８】
以上のタイミングｔ１〜ｔ１５の動作においては、制御部４０５は、電解槽ユニット４５０には通電せず殺菌水を生成しない。そのため、前洗浄（タイミングｔ５〜ｔ７）および胴体洗浄（タイミングｔ９〜ｔ１１）においては、ノズル４７３は、水により物理的に洗浄される。そして、これらのタイミングにおける流量（水量）は、例えば約４５０ｃｃ／分であり、最大流量に設定されている。また、「おしり洗浄」（タイミングｔ１１〜ｔ１５）においては、便座２００に着座した使用者の「おしり」は、ノズル４７３のおしり洗浄吐水口４７４ｂから噴射された水により洗浄される。
【００７９】
続いて、使用者が操作部５００により図示しない「止スイッチ」を押すと、制御部４０５は、流路切替弁４７２を「おしり水勢３」から「バイパス２」に切り替え（タイミングｔ１５〜ｔ１６）、ノズル洗浄室４７８に設けられた吐水部４７９から水を噴射可能とする。続いて、制御部４０５は、「おしり洗浄」の位置に進出していたノズル４７３をケーシング４００に収納させ「収納１」の状態とする（タイミングｔ１７〜ｔ１８）。
【００８０】
このとき、制御部４０５は、電磁弁４３１を開いており、電解槽ユニット４５０には通電せず殺菌水を生成させていない。また、制御部４０５は、温水ヒータ４４１を「前洗浄モード、本洗浄モード、後洗浄モード」に設定し水を加熱させている。そのため、ノズル４７３の胴体は、吐水部４７９から噴射された温水により洗浄される。
【００８１】
続いて、ノズル４７３が「収納１」の状態にあるときに、制御部４０５は、流路切替弁４７２を「バイパス２」から「ＳＣ」に切り替える（タイミングｔ１８〜ｔ１９）。そのため、おしり洗浄流路２１と、やわらか洗浄流路２２と、ビデ洗浄流路２３と、の全ての流路を経由して、おしり洗浄吐水口４７４ｂおよびビデ洗浄吐水口４７４ａからの吐水が可能となる。これにより、ノズル４７３の後洗浄が行われる（タイミングｔ１８〜ｔ２０）。
【００８２】
このときにも、制御部４０５は、電磁弁４３１を開いており、電解槽ユニット４５０には通電せず殺菌水を生成させていない。また、制御部４０５は、温水ヒータ４４１を「前洗浄モード、本洗浄モード、後洗浄モード」に設定し水を加熱させている。そのため、ノズル４７３のおしり洗浄吐水口４７４ｂおよびビデ洗浄吐水口４７４ａの部分は、おしり洗浄吐水口４７４ｂおよびビデ洗浄吐水口４７４ａ自身が吐水した温水により洗浄される。
【００８３】
続いて、制御部４０５は、流路切替弁４７２を「ＳＣ」から「原点」に切り替える（タイミングｔ２０〜ｔ２２）。さらに、制御部４０５は、温水ヒータ４４１を「前洗浄モード、本洗浄モード、後洗浄モード」から「保温制御モード」に設定変更する（タイミングｔ２０）。続いて、制御部４０５は、電磁弁４３１を閉じる（タイミングｔ２１）。
【００８４】
続いて、使用者が「おしり乾燥」を適宜行い便座２００から離座した後（タイミングｔ２３）、所定時間（ここでは、例えば約２５秒間程度）が経過すると、制御部４０５は、流路切替弁４７２を「原点」から「バイパス２」に切り替え（タイミングｔ２４〜ｔ２５）、表面洗浄流路２４を通してノズル洗浄室４７８に設けられた吐水部４７９から水を噴射可能とする。さらに、制御部４０５は、電磁弁４３１を開く（タイミングｔ２４）。
【００８５】
続いて、制御部４０５は、電解槽ユニット４５０への通電を開始し殺菌水の生成を開始させる（タイミングｔ２５）。さらに、制御部４０５は、ケーシング４００に収納されていたノズル４７３を「おしり洗浄」の位置まで進出させる（タイミングｔ２５〜ｔ２６）。このとき、制御部４０５は、電磁弁４３１を開いており、電解槽ユニット４５０に通電しているため、ノズル４７３の胴体は、表面洗浄流路２４を通して吐水部４７９から噴射される殺菌水により殺菌される。さらに、図７および図８に関して前述したように、ノズル４７３が「収納１」の状態から「おしり洗浄」の位置まで進出する間では、ノズルカバー５１０の通水孔５１１は、ビデ洗浄吐水口４７４ａに対向している。そのため、ビデ洗浄吐水口４７４ａは、表面洗浄流路２４を通して吐水部４７９から噴射される殺菌水により殺菌される。そして、ノズル４７３が「おしり洗浄」の位置に到達すると、ノズル４７３の第１の凹部４７３ａと係合していた弾性体５３０は、撓むことにより第１の凹部４７３ａと第２の凹部４７３ｂとの間を乗り越え、第２の凹部４７３ｂと係合する。これにより、ノズルカバー５１０の通水孔５１１は、ビデ洗浄吐水口４７４ａに対向する位置からおしり洗浄吐水口４７４ｂに対向する位置へ切り替わる。
【００８６】
続いて、制御部４０５は、「おしり洗浄」の位置まで進出していたノズル４７３をケーシング４００に収納させ「収納２」の状態とする（タイミングｔ２６〜ｔ２７）。ノズル４７３が「収納２」の状態にあるときには、ノズルカバー５１０の通水孔５１１は、おしり洗浄吐水口４７４ｂに対向している。このときにも、制御部４０５は、電磁弁４３１を開いており、電解槽ユニット４５０に通電しているため、ノズル４７３の胴体は、表面洗浄流路２４を通して吐水部４７９から噴射される殺菌水により殺菌される。さらに、ノズル４７３が「おしり洗浄」の位置から「収納２」の状態まで後退する間では、ノズルカバー５１０の通水孔５１１は、おしり洗浄吐水口４７４ｂに対向している。そのため、おしり洗浄吐水口４７４ｂは、表面洗浄流路２４を通して吐水部４７９から噴射される殺菌水により殺菌される。
【００８７】
続いて、制御部４０５は、流路切替弁４７２を「バイパス２」から「おしり水勢１」に切り替え（タイミングｔ２７〜ｔ２８）、おしり洗浄流路２１を通しておしり洗浄吐水口４７４ｂから水を噴射可能とする。さらに、制御部４０５は、流量切替弁４７１を制御し、例えば約４５０ｃｃ／分であった流量を例えば約２００ｃｃ／分に設定変更する（タイミングｔ２７）。つまり、このときの流量は、最大流量（例えば約４５０ｃｃ／分）よりも少ない。そのため、電解槽ユニット４５０に最大流量の水を供給する場合と比較すると、電解槽ユニット４５０において生成される殺菌水の次亜塩素酸の濃度をより高めることができる。このとき、制御部４０５は、流路切替弁４７２を「おしり水勢１」に設定しているため、おしり洗浄流路２１を通しておしり洗浄吐水口４７４ｂからのみ殺菌水を噴射可能としている。制御部４０５は、電磁弁４３１を開いており、電解槽ユニット４５０に通電しているため、ノズル４７３のおしり洗浄吐水口４７４ｂの部分は、おしり洗浄吐水口４７４ｂ自身が吐水した殺菌水により殺菌される。さらに、おしり洗浄流路２１の内壁は、おしり洗浄流路２１の内部を通過する殺菌水により殺菌される。
【００８８】
続いて、制御部４０５は、流路切替弁４７２を「おしり水勢１」から「やわらか水勢１」に切り替え（タイミングｔ２９〜ｔ３０）、やわらか洗浄流路２２を通しておしり洗浄吐水口４７４ｂから水を噴射可能とする。制御部４０５は、このときの流量を例えば約２００ｃｃ／分に維持している。そのため、電解槽ユニット４５０に最大流量の水を供給する場合と比較すると、電解槽ユニット４５０において生成される殺菌水の次亜塩素酸の濃度をより高めることができる。このとき、制御部４０５は、流路切替弁４７２を「やわらか水勢１」に設定しているため、やわらか洗浄流路２２を通しておしり洗浄吐水口４７４ｂからのみ殺菌水を噴射可能としている。制御部４０５は、電磁弁４３１を開いており、電解槽ユニット４５０に通電しているため、ノズル４７３のおしり洗浄吐水口４７４ｂの部分は、おしり洗浄吐水口４７４ｂ自身が吐水した殺菌水により殺菌される。さらに、やわらか洗浄流路２２の内壁は、やわらか洗浄流路２２の内部を通過する殺菌水により殺菌される。
【００８９】
続いて、制御部４０５は、流路切替弁４７２を「やわらか水勢１」から「ビデ水勢１」に切り替え（タイミングｔ３１〜ｔ３２）、ビデ洗浄流路２３を通してビデ洗浄吐水口４７４ａから水を噴射可能とする。さらに、制御部４０５は、「収納２」の状態であったノズル４７３を「収納１」の状態とする（タイミングｔ３１〜ｔ３２）。具体的には、制御部４０５は、ノズル４７３の後端４７３ｄが壁５２０と接触した状態でノズルモータ４７６を駆動しノズルカバー５１０を後退させる。そうすると、ノズル４７３の第２の凹部４７３ｂと係合していた弾性体５３０は、撓むことにより第１の凹部４７３ａと第２の凹部４７３ｂとの間を乗り越え、第１の凹部４７３ａと係合する。これにより、「収納２」の状態であったノズル４７３を「収納１」の状態とすることができる。
【００９０】
制御部４０５は、このときの流量を例えば約２００ｃｃ／分に維持している。そのため、電解槽ユニット４５０に最大流量の水を供給する場合と比較すると、電解槽ユニット４５０において生成される殺菌水の次亜塩素酸の濃度をより高めることができる。このとき、制御部４０５は、流路切替弁４７２を「ビデ水勢１」に設定しているため、ビデ洗浄流路２３を通してビデ洗浄吐水口４７４ａからのみ殺菌水を噴射可能としている。制御部４０５は、電磁弁４３１を開いており、電解槽ユニット４５０に通電しているため、ノズル４７３のビデ洗浄吐水口４７４ａの部分は、ビデ洗浄吐水口４７４ａ自身が吐水した殺菌水により殺菌される。さらに、ビデ洗浄流路２３の内壁は、ビデ洗浄流路２３の内部を通過する殺菌水により殺菌される。
【００９１】
続いて、制御部４０５は、流路切替弁４７２を「ビデ水勢１」から「原点」に切り替え（タイミングｔ３３〜ｔ３４）、おしり洗浄流路２１と、やわらか洗浄流路２２と、ビデ洗浄流路２３と、の全ての流路は閉じる。さらに、制御部４０５は、電磁弁４３１を閉じ、電解槽ユニット４５０への通電を停止する（タイミングｔ３３）。
【００９２】
続いて、制御部４０５は、そのままの状態を所定時間保持する（タイミングｔ３４〜ｔ３５）。そのため、殺菌水は、おしり洗浄流路２１、やわらか洗浄流路２２、ビデ洗浄流路２３、および表面洗浄流路２４の内部に所定時間保持される。これにより、おしり洗浄流路２１、やわらか洗浄流路２２、ビデ洗浄流路２３、および表面洗浄流路２４の内部に生存する細菌をより確実に殺菌することができる。続いて、制御部４０５は、ノズル４７３を「収納１」の状態から「水抜き」の位置まで移動させ、流路切替弁４７２を「原点」から「ＳＣ」に切り替えることにより、水あるいは殺菌水を流路の外へ排出させる（タイミングｔ３５〜ｔ３６）。
【００９３】
本具体例によれば、制御部４０５は、電解槽ユニット４５０において殺菌水を生成させる場合には、電解槽ユニット４５０に供給される水の流量を最大流量よりも少ない流量に設定する（タイミングｔ２７〜ｔ３４）。これにより、電解槽ユニット４５０において生成される殺菌水の次亜塩素酸の濃度は、電解槽ユニット４５０に最大流量の水が供給される場合の次亜塩素酸の濃度よりも高い。さらに、制御部４０５は、流路切替弁４７２を制御することにより、おしり洗浄流路２１と、やわらか洗浄流路２２と、ビデ洗浄流路２３と、表面洗浄流路２４と、のいずれか１つにのみ殺菌水を通水する。これにより、殺菌水の濃度を確保しつつノズル４７３を殺菌する際の流量や水勢を効率的に確保することができる。
【００９４】
また、制御部４０５は、ノズル４７３を殺菌水により殺菌する場合には、流路切替弁４７２を制御することにより、おしり洗浄流路２１、やわらか洗浄流路２２、ビデ洗浄流路２３、および表面洗浄流路２４のそれぞれに殺菌水を順次通水させる。言い換えれば、制御部４０５は、ノズル４７３を殺菌水により殺菌する場合には、流路切替弁４７２を制御することにより、おしり洗浄流路２１に通水される状態と、やわらか洗浄流路２２に通水され状態と、ビデ洗浄流路２３に通水される状態と、表面洗浄流路２４に通水される状態と、を順次切り替える（タイミングｔ２４〜ｔ３４）。このように、制御部４０５が通水流路を順番に切り替えることにより、ノズル４７３を殺菌する際の流量や水勢を効率的に確保し、ノズル４７３をより効率的に殺菌することができる。
【００９５】
なお、本具体例では、制御部４０５は、おしり洗浄流路２１、やわらか洗浄流路２２、およびビデ洗浄流路２３よりも先に表面洗浄流路２４に通水させ、ノズル４７３の胴体殺菌を実行しているが、制御部４０５が通水流路を切り替える順番は、これだけに限定されるわけではない。制御部４０５は、最後に表面洗浄流路２４に通水させ、ノズル４７３の胴体殺菌を最後に実行してもよい。これによれば、殺菌動作の最後に胴体殺菌を行うことにより、ノズル４７３の表面をより清潔に保つことができる。
【００９６】
また、本具体例によれば、制御部４０５は、ノズル４７３を殺菌水により殺菌する場合において、流路切替弁４７２を制御し通水流路を切り替えた際には、選択された通水流路に応じてノズルカバー５１０を移動させる。そして、制御部４０５は、ビデ洗浄吐水口４７４ａ及びおしり洗浄吐水口４７４ｂのいずれか一方に対向している通水孔５１１の位置をいずれか他方に対向する位置へ切り替える（タイミングｔ３１〜ｔ３２）。これにより、ノズル４７３とノズルカバー５１０との間を効率的に殺菌することができる。また、前述したように、ノズル４７３を殺菌する際の流量や水勢を効率的に確保することができるため、ノズル４７３とノズルカバー５１０との間に付着した汚水や汚物を効率的に剥離させることができる。
【００９７】
また、制御部４０５は、通水流路として表面洗浄流路２４を選択した場合には、ノズルカバー５１０をノズル４７３に対して前後方向に摺動させる（タイミングｔ２５〜ｔ２６およびｔ２６〜ｔ２７）。ここで、本願明細書においては、ノズル４７３の軸線または進出方向に対して平行な方向であって、便座２００に座った使用者からみて前方を「前方」とし、便座２００に座った使用者からみて後方を「後方」とする。
【００９８】
これにより、ノズル４７３の表面を殺菌できるとともに、ビデ洗浄吐水口４７４ａ及びおしり洗浄吐水口４７４ｂの周囲を殺菌することができる。そのため、ノズル４７３とノズルカバー５１０との間や、ビデ洗浄吐水口４７４ａ及びおしり洗浄吐水口４７４ｂの周囲を効率的に殺菌することができる。また、前述したように、ノズル４７３を殺菌する際の流量や水勢を効率的に確保することができるため、ノズル４７３とノズルカバー５１０との間や、ビデ洗浄吐水口４７４ａ及びおしり洗浄吐水口４７４ｂの周囲に付着した汚水や汚物を効率的に剥離させることができる。
【００９９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００およびノズルユニット４７０、４７０ａなどが備える各要素の形状、寸法、材質、配置などやノズル４７３およびノズル洗浄室４７８の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１００】
１０ 給水源、  ２０ 導水部、  ２１ おしり洗浄流路、  ２２ やわらか洗浄流路、  ２３ ビデ洗浄流路、  ２４ 表面洗浄流路、  １００ 衛生洗浄装置、  ２００ 便座、  ３００ 便蓋、  ３１０ 透過窓、  ４００ ケーシング、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４１０ 分岐金具、  ４２０ 連結ホース、  ４３０ バルブユニット、  ４３１ 電磁弁、  ４３２ 調圧弁、  ４３３ 入水サーミスタ、  ４４ 安全弁、  ４３５ 水抜栓、  ４４０ 熱交換器ユニット、  ４４１ 温水ヒータ、  ４４２ バキュームブレーカ、  ４５０ 電解槽ユニット、  ４５１ 陽極板、  ４５２ 陰極板、  ４６０ 圧力変調装置、  ４６１ シリンダ、  ４６２ プランジャ、  ４６３ 逆止弁、  ４６４ 脈動発生コイル、  ４６５ 下流側、  ４６６ 復帰スプリング、  ４６７ 緩衝スプリング、  ４７０ ノズルユニット、  ４７０ａ ノズルユニット、  ４７１ 流量切替弁、  ４７２ 流路切替弁、  ４７３ ノズル、  ４７３ａ 第１の凹部、  ４７３ｂ 第２の凹部、  ４７３ｃ 突起部、  ４７３ｄ 後端、  ４７４ａ ビデ洗浄吐水口、  ４７４ｂ 洗浄吐水口、  ４７５ 取付台、  ４７６ ノズルモータ、  ４７７ 伝動部材、  ４７８ ノズル洗浄室、  ４７９ 吐水部、  ４８０ イオン濃度検出部、  ４９０ 気泡混入部、  ５００ 操作部、  ５１０ ノズルカバー、  ５１１ 通水孔、  ５１３ ラック、  ５２０ 壁、  ５３０ 弾性体、  ５３１ 凸部、  ８００ 便器、  ８０１ ボウル
【図１】
0005720878.tif 000002
【図２】
0005720878.tif 000003
【図３】
0005720878.tif 000004
【図４】
0005720878.tif 000005
【図５】
0005720878.tif 000006
【図６】
0005720878.tif 000007
【図７】
0005720878.tif 000008
【図８】
0005720878.tif 000009
【図９】
0005720878.tif 000010
【図１０】
0005720878.tif 000011
【図１２】
0005720878.tif 000012
【図１３】
0005720878.tif 000013
【図１１】
0005720878.tif 000014